(57)【要約】      （修正有）【課題】正しいスイングフォームを体感してバットスイングの矯正を容易にするとともに、正しいバットスイングの指導を補助する訓練具を提供する。【解決手段】打者素振り位置Ｐに面する位置において横方向へ延びる上ガイド２２と下ガイド２３とを有するバットガイド部１６を支持台１に設けている。バットガイド部１６は、上ガイド２２と下ガイド２３との間で横方向へ延びるガイド路の横方向両端部に設けた口部と、ガイド路で両口部間に設けた主体部とを備えている。バットガイド部１６においてガイド路を主体部及び両口部で打者素振り位置Ｐに面して開放するとともに両口部で横方向へ開放した。打者は一方の口部のガイド路に振り入れたバットを主体部のガイド路に沿って振り抜いた後に他方の口部のガイド路から振り出すことができる。その際、打者は上ガイド２２や下ガイド２３にバットが当らないように同じ軌道を描きながら振り抜く。【選択図】図１
2008000515.tif 000002
【特許請求の範囲】
【請求項１】
打者素振り位置に対し水平方向線に沿った前後方向で面する位置において横方向へ延びる上ガイドと下ガイドとを有するバットガイド部を支持台に設け、このバットガイド部は、上ガイドと下ガイドとの間で横方向へ延びるガイド路の横方向両端部に設けた口部と、このガイド路で両口部間に設けた主体部とを備え、このバットガイド部においてガイド路を主体部及び両口部で打者素振り位置に面して開放するとともに両口部で横方向へ開放したことを特徴とするバット素振り訓練具。
【請求項２】
前記主体部で上ガイドと下ガイドとの間の上下方向間隔を一定にするとともに、前記両口部で上ガイドと下ガイドとの間の上下方向間隔を主体部から横方向へ離れるに従い次第に広げたことを特徴とする請求項１に記載のバット素振り訓練具。
【請求項３】
前記両口部の上ガイドは前記両口部の下ガイドから上下方向へ離れるように前記主体部の上ガイドに対し上向きへ屈曲し、前記両口部の下ガイドは前記両口部の上ガイドから上下方向へ離れるように前記主体部の下ガイドに対し下向きへ屈曲していることを特徴とする請求項２に記載のバット素振り訓練具。
【請求項４】
前記バットガイド部は、前記主体部におけるガイド路の延設方向線が水平方向線に対し上下方向へ傾くように、支持台で上下方向へ傾動可能に支持されていることを特徴とする請求項１または請求項２または請求項３に記載のバット素振り訓練具。
【請求項５】
前記バットガイド部は、支持台に対し上下方向へ回動可能に支持されて傾動し、前記両口部のうち、一方の口部が他方の口部よりも上方位置になるように傾く傾動状態と、他方の口部が一方の口部よりも上方位置になるように傾く傾動状態とを取り得ることを特徴とする請求項４に記載のバット素振り訓練具。
【請求項６】
前記バットガイド部は、支持台に対するガイド路の高さを変更し得るように、支持台で上下方向へ移動可能に支持されていることを特徴とする請求項１から請求項５のうちいずれかの請求項に記載のバット素振り訓練具。
【発明の詳細な説明】
【技術分野】
【０００１】
本発明は、野球やソフトボ−ルなどの練習時に行うバットの素振りにおいて主にバットスイングを矯正するために利用するバット素振り訓練具に関するものである。
【背景技術】
【０００２】
バットの素振りは打撃技術を向上させるために大変重要な練習であり、従来は、第三者にバットの素振りを見てもらってバットスイングの指導を受けたり、一人でバットの素振りを鏡に映しながらバットスイングの矯正を行っていたりしていた。
【発明の開示】
【発明が解決しようとする課題】
【０００３】
しかし、バットの素振り練習を一人で行なう際、自己のバットスイングの欠点を十分に把握することができないままバットスイングを続けたり、所望のバットスイングを実際に行っているか否かが不明なままバットスイングを続けたりしても、正しいバットスイングを習得することができないため、バットスイングの矯正が困難であった。
【０００４】
この発明は、バットスイングの矯正を容易にすることを目的としている。
【課題を解決するための手段】
【０００５】
後記実施形態の図面（図１〜７）の符号を援用して本発明を説明する。
請求項１の発明にかかるバット素振り訓練具は、下記のように構成されている。
打者素振り位置Ｐに対し水平方向線Ｌに沿った前後方向Ｘで面する位置において横方向（ガイド路２４の延設方向線Ｅに沿った方向）へ延びる上ガイド２２と下ガイ２３とを有するバットガイド部１６を支持台１に設けている。このバットガイド部１６は、上ガイド２２と下ガイド２３との間で横方向へ延びるガイド路２４の横方向両端部に設けた口部２５と、このガイド路２４で両口部２５間に設けた主体部２６とを備えている。このバットガイド部１６においてガイド路２４を主体部２６及び両口部２５で打者素振り位置Ｐに面して開放するとともに両口部２５で横方向へ開放している。
【０００６】
請求項１の発明では、ガイド路２４を主体部２６及び両口部２５で打者素振り位置Ｐに面して開放するとともに両口部２５で横方向へ開放しているため、右打者２７または左打者２８が共に一方の口部２５のガイド路２４に振り入れたバットＢを主体部２６のガイド路２４に沿って振り抜いた後に他方の口部２５のガイド路２４から振り出すことができる。その際、打者２７，２８は、上ガイド２２や下ガイド２３にバットＢが当らないように同じ軌道を描きながら振り抜くため、正しいスイングの感覚を自然と身に付けることができ、バットスイングが矯正し易くなる。
【０００７】
請求項１の発明を前提とする請求項２の発明においては、前記主体部２６で上ガイド２２と下ガイド２３との間の上下方向間隔Ｗ２６を一定にするとともに、前記両口部２５で上ガイド２２と下ガイド２３との間の上下方向間隔Ｗ２５を主体部２６から横方向へ離れるに従い次第に広げている。請求項２の発明では、主体部２６のガイド路２４でバットＢを上ガイド２２や下ガイド２３に沿って振ることができる。また、バットＢを一方の口部２５のガイド路２４から主体部２６のガイド路２４に振り入れ易くなるとともに、バットＢを主体部２６のガイド路２４から他方の口部２５のガイド路２４に振り出し易くなる。
【０００８】
請求項２の発明を前提とする請求項３の発明において、前記両口部２５の上ガイド２２は前記両口部２５の下ガイド２３から上下方向Ｚへ離れるように前記主体部２６の上ガイド２２に対し上向きへ屈曲し、前記両口部２５の下ガイド２３は前記両口部２５の上ガイド２２から上下方向Ｚへ離れるように前記主体部２６の下ガイド２３に対し下向きへ屈曲している。請求項３の発明では、バットＢを一方の口部２５のガイド路２４から主体部２６のガイド路２４に振り入れる際や、バットＢを主体部２６のガイド路２４から他方の口部２５のガイド路２４に振り出す際に、バットＢが上ガイド２２や下ガイド２３に当りにくくなる。
【０００９】
請求項１または請求項２または請求項３の発明を前提とする請求項４の発明において、前記バットガイド部１６は、前記主体部２６におけるガイド路２４の延設方向線Ｅが水平方向線Ｌに対し上下方向Ｚへ傾くように、支持台１で上下方向Ｚへ傾動可能に支持されている。請求項４の発明では、打者２７，２８の練習目的に応じてガイド路２４の傾き角度θを変えることにより、レベルスイングやダウンスイングなどのバットスイングを適宜選択することができる。
【００１０】
請求項４の発明を前提とする請求項５の発明において、前記バットガイド部１６は、支持台１に対し上下方向Ｚへ回動可能に支持されて傾動し、前記両口部２５のうち、一方の口部２５が他方の口部２５よりも上方位置になるように傾く傾動状態と、他方の口部２５が一方の口部２５よりも上方位置になるように傾く傾動状態とを取り得る。請求項５の発明では、右打者２７と左打者２８とが同じ条件でレベルスイングやダウンスイングなどのバットスイングを練習することができる。
【００１１】
請求項１から請求項５のうちいずれかの請求項の発明を前提とする請求項６の発明において、前記バットガイド部１６は、支持台１に対するガイド路２４の高さＨを変更し得るように、支持台１で上下方向Ｚへ移動可能に支持されている。請求項６の発明では、打者２７，２８の背丈に応じたガイド路２４の高さＨでバットスイングを練習することができる。
【００１２】
次に、請求項以外の技術的思想について実施形態の図面の符号を援用して説明する。
請求項１から請求項６のうちいずれかの請求項の発明を前提とする第７の発明において、前記バットガイド部１６は、前記主体部２６におけるガイド路２４の延設方向線Ｅの向きを鉛直方向線Ｖを中心とする回動方向Ｒで変更し得るように、支持台１で回動可能に支持されている。第７の発明では、打者２７，２８に対するガイド路２４の傾き角度を変えてバットスイングを練習することができる。
【００１３】
請求項１から請求項６のうちいずれかの請求項の発明または第７の発明を前提とする第８の発明において、前記バットガイド部１６のガイド路２４で上ガイド２２と下ガイド２３との間の上下方向間隔Ｗ２５，Ｗ２６を変更し得るように、上ガイド２２と下ガイド２３とを相対動可能に支持した。第８の発明では、打者２７，２８のスイング技術に応じたガイド路２４の上下方向間隔Ｗ２５，Ｗ２６によりバットスイングを練習することができる。
【００１４】
請求項１から請求項６のうちいずれかの請求項の発明、または第７の発明または第８の発明を前提とする第９の発明において、前記バットガイド部１６で上ガイド２２及び下ガイド２３は棒材からなる。第９の発明では、バットガイド部１６の構造を簡単にすることができる。
【００１５】
第９の発明を前提とする第１０の発明において、前記バットガイド部１６は、上ガイド２２と下ガイド２３とのほかに、支持台１に設けた支持腕１０の横方向両側に取着したＣ状の支持棒１７を備え、この両支持棒１７の上棒部２０間に上ガイド２２を架設するとともに、この両支持棒１７の下棒部１８間に下ガイド２３を架設している。第１０の発明では、バットガイド部１６の構造を簡単にすることができる。
【００１６】
第９の発明または第１０の発明を前提とする第１１の発明において、前記バットガイド部１６の主体部２６で上ガイド２２の外周及び下ガイド２３の外周には緩衝体２２ａ，２３ａを設けている。第１１の発明では、上ガイド２２や下ガイド２３にバットＢが当った際の衝撃をこの緩衝体２２ａ，２３ａにより緩衝することができる。
【発明の効果】
【００１７】
本発明は、正しいスイングフォームを体感してバットスイングの矯正を容易にすることができるとともに、正しいバットスイングの指導を補助する場合にも役立たせることができる。
【発明を実施するための最良の形態】
【００１８】
以下、本発明の一実施形態にかかるバット素振り訓練具について図１〜７を参照して説明する。
図１及び図２〜４に示すように、支持台１の台座２において、外周縁四辺部には凹み３が形成され、この外周縁四辺部内の中央部に支持筒４が取着されている。この各凹み３の上方領域が打者素振り位置Ｐになっている。
【００１９】
図１及び図２〜４に示すように、支持台１の支柱５は、台座２の支持筒４に挿嵌されて鉛直方向線Ｖを中心に水平面上回動方向Ｒへ３６０度範囲で回動し得る回動操作管６と、この回動操作管６に対し挿嵌されて鉛直方向線Ｖに沿う上下方向Ｚへ所定高さ範囲で移動し得る上下動操作管７とを備えている。この支柱５において、回動操作管６は、上下動操作管７とともに回動し、図６（ａ）に示すように支持筒４に螺合された止めねじ８により圧接されて、３６０度範囲の任意の回動調節位置で支持筒４に対し位置決めすることができる。この支柱５において、上下動操作管７は、図６（ａ）に示すように回動操作管６に螺合された止めねじ９により係止されて、所定高さ範囲内の任意の高さ調節位置で回動操作管６に対し位置決めすることができる。
【００２０】
図１及び図２〜４に示すように、支持台１の支持腕１０は、上下動操作管７上に取着された固定ブラケット１１に対し支軸１２により鉛直面上回動方向Ｓへ回動可能に支持された可動ブラケット１３と、この可動ブラケット１３上に取着された固定棒１４とを備えている。この支持腕１０において、可動ブラケット１３は、図６（ａ）（ｂ）に示すように固定ブラケット１１に螺合された止めねじ１５により係止されて、図５（ａ）（ｂ）に示すように所定回動範囲内の任意の回動調節位置で固定ブラケット１１に対し位置決めすることができる。この固定棒１４上にバットガイド部１６が支えられている。
【００２１】
図１及び図２〜４に示すように、前記バットガイド部１６は、前記支持腕１０の固定棒１４の長手方向両側に取着された支持棒１７を備えている。この両支持棒１７は、Ｃ状に湾曲し、固定棒１４に取着されて水平方向線Ｌに沿った前後方向Ｘへ延びる下棒部１８と、この下棒部１８に取着されて上下方向Ｚへ延びる連結管１９と、その連結管１９に挿嵌されて前後方向Ｘへ延びる上棒部２０とを備えている。この上棒部２０は、図６（ａ）に示すように連結管１９に螺合された止めねじ２１により係止されて、下棒部１８に対する所定間隔範囲内の任意の間隔調節位置で下棒部１８に対し位置決めすることができる。
【００２２】
前記バットガイド部１６においては、両支持棒１７の上棒部２０の前端部間に棒状の上ガイド２２が架設されているとともに、両支持棒１７の下棒部１８の前端部間に棒状の下ガイド２３が架設され、この上ガイド２２と下ガイド２３との間でガイド路２４が横方向（延設方向線Ｅが水平な場合には左右方向Ｙ）へ直線状に延びている。このバットガイド部１６は、ガイド路２４の横方向両端部で上下両ガイド２２，２３間に設けられた口部２５と、この両口部２５間で上下両ガイド２２，２３間に設けられた主体部２６とを備えている。この主体部２６で上ガイド２２の外周及び下ガイド２３の外周には図６（ｃ）に示すようにゴムやコイルばねなどの緩衝体２２ａ，２３ａが嵌め込まれている。この主体部２６で上ガイド２２と下ガイド２３との間の上下方向間隔Ｗ２６は一定になっている。この両口部２５の上ガイド２２はこの両口部２５の下ガイド２３から離れる上向きへこの主体部２６の上ガイド２２に対し屈曲して傾斜しているとともに、この両口部２５の下ガイド２３はこの両口部２５の上ガイド２２から離れる下向きへこの主体部２６の下ガイド２３に対し屈曲して傾斜し、この両口部２５で上ガイド２２と下ガイド２３との間の上下方向間隔Ｗ２５は主体部２６から横方向（ガイド路２４の延設方向線Ｅに沿った方向）へ離れるに従い次第に広げられている。このガイド路２４は、両口部２５でその横方向へ開放されているとともに、主体部２６及び両口部２５で前後方向Ｘの両側に開放されている。
【００２３】
このようなバット素振り訓練具を使用する際には、支持台１の台座２に設けられた各凹み３（打者素振り位置Ｐ）のうち一つの打者素振り位置Ｐを選択し、支持台１の台座２に対しバットガイド部１６を支持台１の支柱５及び支持腕１０とともに鉛直方向線Ｖを中心に水平面上回動方向Ｒへ回動させることにより、バットガイド部１６のガイド路２４の前側をこの打者素振り位置Ｐに面するように合わせる。さらに、その打者素振り位置Ｐに立つ打者（図７（ａ）に示す右打者２７や図７（ｂ）に示す左打者２８）に応じて、その打者２７，２８に対するガイド路２４の位置関係を下記のように調節する。
【００２４】
・  バットガイド部１６を支持台１の固定ブラケット１１に対し上下方向Ｚへ傾動させて水平方向線Ｌに対するガイド路２４の延設方向線Ｅの傾き角度θを変更することにより、練習目的のスイング（レベルスイング、ダウンスイング、アッパスイング）に合わせてガイド路２４の延設方向線Ｅの向きを調節する。すなわち、図２に示すようにレベルスイングでは右打者２７と左打者２８共に左右両口部２５の高さＨが同一になり、図５（ａ）及び図７（ａ）に示すように右打者２７のダウンスイング及び左打者２８のアッパスイングでは左右両口部２５のうち右側の口部２５が左側の口部２５よりも上方位置になるように傾く傾動状態となり、図５（ｂ）及び図７（ｂ）に示すように左打者２８のダウンスイング及び右打者２７のアッパスイングでは左右両口部２５のうち左側の口部２５が右側の口部２５よりも上方位置になるように傾く傾動状態になる。
【００２５】
・  両支持棒１７で下棒部１８に対し上棒部２０を上下方向Ｚへ移動させることにより、ガイド路２４において上ガイド２２と下ガイド２３との間の上下方向間隔Ｗ２５，Ｗ２６を調節する。
【００２６】
・  バットガイド部１６を支柱５の上下動操作管７とともに上下方向Ｚへ移動させることにより、打者（右打者２７や左打者２８）の背丈に合わせてガイド路２４の高さＨを調節する。
【００２７】
・  支持台１の台座２に対しバットガイド部１６を支持台１の支柱５及び支持腕１０とともに鉛直方向線Ｖを中心に回動させることにより、打者（右打者２７や左打者２８）に対するガイド路２４の傾き角度を調節する。
【００２８】
さて、このようにして調節したバット素振り訓練具を実際に使用して例えばダウンスイングの練習を行う際に、右打者２７の場合には図７（ａ）に示すように左右両口部２５のうち右側の口部２５のガイド路２４に振り入れたバットＢを主体部２６のガイド路２４に沿って振り抜いた後に左側の口部２５のガイド路２４から振り出し、左打者２８の場合には図７（ｂ）に示すように両口部２５のうち左側の口部２５のガイド路２４に振り入れたバットＢを主体部２６のガイド路２４に沿って振り抜いた後に右側の口部２５のガイド路２４から振り出す。その際、打者（右打者２７や左打者２８）は、上ガイド２２や下ガイド２３にバットＢが当らないように同じ軌道を描きながら振り抜くため、ダウンスイングの感覚を自然と身に付けることができ、バットスイングを矯正することができる。
【００２９】
前記実施形態以外に下記のように構成してもよい。
＊  前記バットガイド部１６において、両口部２５の上ガイド２２を主体部２６の上ガイド２２に対し屈曲させずに主体部２６の上ガイド２２から一連に直線的に延設するとともに、両口部２５の下ガイド２３を主体部２６の下ガイド２３に対し屈曲させずに主体部２６の下ガイド２３から一連に直線的に延設し、主体部２６の上下両ガイド２２，２３間の上下方向間隔Ｗ２６と両口部２５の上下両ガイド２２，２３間の上下方向間隔Ｗ２５とを同じにする。
【００３０】
＊  前記バットガイド部１６において、両口部２５の上下両ガイド２２，２３のうち一方のもののみを主体部２６の上下両ガイド２２，２３に対し屈曲させる。
＊  前記バットガイド部においてガイド路については板材により溝状に形成する。
【００３１】
＊  図示しないが、支持台１の支柱５において回動操作管６に対する上下動操作管７の高さ調節や、支持台１の支持腕１０において固定ブラケット１１に対する可動ブラケット１３の傾き調節については、雌雄ねじ機構や歯車機構などを利用して無段階的に調節できるようにする。
【図面の簡単な説明】
【００３２】
【図１】本実施形態にかかるバット素振り訓練具を示す斜視図である。
【図２】図１のバット素振り訓練具において水平状態を示す正面図である。
【図３】図１のバット素振り訓練具において水平状態を示す側面図である。
【図４】図１のバット素振り訓練具において水平状態を示す平面図である。
【図５】（ａ）（ｂ）はそれぞれ図１のバット素振り訓練具において傾動状態を示す正面図である。
【図６】（ａ）は図１のバット素振り訓練具を側面側から見た部分断面図であり、（ｂ）は同じく背面側から見た部分断面図であり、（ｃ）は同じく正面側から見た部分断面図である。
【図７】（ａ）は図１のバット素振り訓練具を右打者が使用する場合の使用状態を示す背面図であり、（ｂ）は同じく左打者が使用する場合の使用状態を示す背面図である。
【符号の説明】
【００３３】
１…支持台、１６…バットガイド部、２２…上ガイド、２３…下ガイド、２４…ガイド路、２５…バットガイド部の口部、２６…バットガイド部の主体部、Ｐ…打者素振り位置、Ｅ…ガイド路の延設方向線、Ｈ…ガイド路の高さ、Ｗ２５，Ｗ２６…上下方向間隔、Ｖ…鉛直方向線、Ｌ…水平方向線、Ｘ…前後方向、Ｚ…上下方向。
【図１】
2008000515.tif 000003
【図２】
2008000515.tif 000004
【図３】
2008000515.tif 000005
【図４】
2008000515.tif 000006
【図５】
2008000515.tif 000007
【図６】
2008000515.tif 000008
【図７】
2008000515.tif 000009